(57)【特許請求の範囲】
【請求項１】
通信システムの制御情報処理方法であって、
前記方法は、ＳＲＮＣ（Ｓｅｒｖｉｎｇ  Ｒａｄｉｏ  Ｎｅｔｗｏｒｋ  Ｃｏｎｔｒｏｌｌｅｒ）が、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）をサポートするＤＲＮＣ（Ｄｒｉｆｔ  Ｒａｄｉｏ  Ｎｅｔｗｏｒｋ  Ｃｏｎｔｒｏｌｌｅｒ）にパワーオフセット（ＰＯ）値を提供することを含み、
前記ＰＯ値は、第２高速共有チャンネルに関連する第１高速共有チャンネルのための値であり、前記提供することは、無線接続インターフェースプロトコルを介して実行され、
前記第１高速共有チャンネルは、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）であり、前記第２高速共有チャンネルは、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）であり、
前記第１高速共有チャンネルは、前記第２高速共有チャンネルの制御チャンネルであり、前記第１高速共有チャンネルは、２ｍｓのフレームを有し、
前記ＨＳ−ＳＣＣＨの送信電力は、ＤＰＣＣＨ（Ｄｅｄｉｃａｔｅｄ  Ｐｈｙｓｉｃａｌ  Ｃｏｎｔｒｏｌ  Ｃｈａｎｎｅｌ）に対する前記ＰＯ値によって決定される、方法。
【請求項２】
前記無線接続インターフェースプロトコルが制御平面プロトコルである場合、前記パワーオフセット値はメッセージ形態で提供される、請求項１に記載の方法。
【請求項３】
前記メッセージは、ＳＲＮＣとＤＲＮＣとの間で使用されるＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）メッセージである、請求項２に記載の方法。
【請求項４】
前記無線接続インターフェースプロトコルがユーザ平面プロトコルである場合、前記パワーオフセット値は制御フレーム形態で提供される、請求項１に記載の方法。
【請求項５】
前記制御フレームは、
パラメータの有無を示す無線インターフェースパラメータアップデートフラグフィールドと、
前記ＨＳ−ＳＣＣＨの電力制御のためのＰＯ値を伝送するために使用されるＰＯフィールドと
を含む、請求項４に記載の方法。
【請求項６】
前記制御フレームは、ＣＦＮ（Ｃｏｎｎｅｃｔｉｏｎ  Ｆｒａｍｅ  Ｎｕｍｂｅｒ）フィールドをさらに含む、請求項５に記載の方法。
【請求項７】
前記ＰＯフィールドは、ＤＰＣＣＨ（Ｄｅｄｉｃａｔｅｄ  Ｐｈｙｓｉｃａｌ  Ｃｏｎｔｒｏｌ  Ｃｈａｎｎｅｌ）の非ハンドオーバーまたはソフトハンドオーバーのためのＰＯ値を伝送するために使用される、請求項５に記載の方法。
【請求項８】
前記制御フレームは、
選択的に含まれるＣＦＮ（Ｃｏｎｎｅｃｔｉｏｎ  Ｆｒａｍｅ  Ｎｕｍｂｅｒ）フィールドと、
ＤＰＣＣＨ（Ｄｅｄｉｃａｔｅｄ  Ｐｈｙｓｉｃａｌ  Ｃｏｎｔｒｏｌ  Ｃｈａｎｎｅｌ）の非ハンドオーバーまたはソフトハンドオーバーのためのＰＯ値を伝送するために使用されるＰＯフィールドと
を含む、請求項４に記載の方法。
【請求項９】
前記制御フレームは、
パラメータの有無を示す無線インターフェースパラメータアップデートフラグフィールドと、
ＣＦＮ（Ｃｏｎｎｅｃｔｉｏｎ  Ｆｒａｍｅ  Ｎｕｍｂｅｒ）フィールドと、
ＴＰＣ（Ｔｒａｎｓｍｉｔ  Ｐｏｗｅｒ  Ｃｏｎｔｒｏｌ）パワーオフセット（ＰＯ）フィールドと、
ＤＰＣ（Ｄｏｗｎｌｉｎｋ  Ｐｏｗｅｒ  Ｃｏｎｔｒｏｌ）モード情報フィールドと、
ＤＰＣＣＨのソフトハンドオーバーのためのＰＯ値を伝送するために使用される第１ＰＯフィールドと、
プライマリーセルに使用されるＨＳ−ＳＣＣＨに対するＰＯ値を伝送するために使用される第２ＰＯフィールドと
を含む、請求項４に記載の方法。
【請求項１０】
前記制御フレームは、
選択的に含まれるＣＦＮ（Ｃｏｎｎｅｃｔｉｏｎ  Ｆｒａｍｅ  Ｎｕｍｂｅｒ）フィールドと、
ＤＰＣＣＨのソフトハンドオーバーのためのＰＯ値を伝送するために使用される第１ＰＯフィールドと、
プライマリーセルに使用されるＨＳ−ＳＣＣＨに対するＰＯ値を伝送するために使用される第２ＰＯフィールドと
を含む、請求項４に記載の方法。
【請求項１１】
前記制御フレームは、
パラメータの有無を示す無線インターフェースパラメータアップデートフラグフィールドと、
ＣＦＮ（Ｃｏｎｎｅｃｔｉｏｎ  Ｆｒａｍｅ  Ｎｕｍｂｅｒ）フィールドと、
ＴＰＣ（Ｔｒａｎｓｍｉｔ  Ｐｏｗｅｒ  Ｃｏｎｔｒｏｌ）パワーオフセット（ＰＯ）フィールドと、
ＤＰＣ（Ｄｏｗｎｌｉｎｋ  Ｐｏｗｅｒ  Ｃｏｎｔｒｏｌ）モード情報フィールドと、
ＤＰＣＣＨのソフトハンドオーバーのためのＰＯ値を伝送するために使用される第１ＰＯフィールドと、
プライマリーセルに使用されるＨＳ−ＳＣＣＨに対するＰＯ値を伝送するために使用される第２ＰＯフィールドと、
ノンプライマリーセルに使用されるＨＳ−ＳＣＣＨのＰＯ値を伝送するために使用される第３ＰＯフィールドと
を含む、請求項４に記載の方法。
【請求項１２】
前記制御フレームは、
選択的に含まれるＣＦＮ（Ｃｏｎｎｅｃｔｉｏｎ  Ｆｒａｍｅ  Ｎｕｍｂｅｒ）フィールドと、
ＤＰＣＣＨのソフトハンドオーバーのためのＰＯ値を伝送するための第１ＰＯフィールドと、
プライマリーセルに使用されるＨＳ−ＳＣＣＨに対するＰＯ値を伝送するための第２ＰＯフィールドと、
ノンプライマリーセルに使用されるＨＳ−ＳＣＣＨのＰＯ値を伝送するための第３ＰＯフィールドと
を含む、請求項４に記載の方法。
【請求項１３】
通信システムの制御情報処理方法であって、
前記方法は、ＤＲＮＣ（Ｄｒｉｆｔ  Ｒａｄｉｏ  Ｎｅｔｗｏｒｋ  Ｃｏｎｔｒｏｌｌｅｒ）が、ＨＳＤＰＡ（Ｈｉｇｈ−Ｓｐｅｅｄ  Ｄｏｗｎｌｉｎｋ  Ｐａｃｋｅｔ  Ａｃｃｅｓｓ）をサポートするＳＲＮＣ（Ｓｅｒｖｉｎｇ  Ｒａｄｉｏ  Ｎｅｔｗｏｒｋ  Ｃｏｎｔｒｏｌｌｅｒ）からパワーオフセット（ＰＯ）値を受信することを含み、
前記ＰＯ値は、第２高速共有チャンネルに関連する第１高速共有チャンネルのための値であり、前記受信することは、無線接続インターフェースプロトコルを介して実行され、
前記第１高速共有チャンネルは、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）であり、前記第２高速共有チャンネルは、ＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）であり、
前記第１高速共有チャンネルは、前記第２高速共有チャンネルの制御チャンネルであり、前記第１高速共有チャンネルは、２ｍｓのフレームを有し、
前記ＨＳ−ＳＣＣＨの送信電力は、ＤＰＣＣＨ（Ｄｅｄｉｃａｔｅｄ  Ｐｈｙｓｉｃａｌ  Ｃｏｎｔｒｏｌ  Ｃｈａｎｎｅｌ）に対する前記受信されたＰＯ値によって決定される、方法。
【請求項１４】
前記無線接続インターフェースプロトコルは、Ｉｕｒインターフェースプロトコルである、請求項１３に記載の方法。
【請求項１５】
前記無線接続インターフェースプロトコルが制御平面プロトコルである場合、前記パワーオフセット値はメッセージ形態で提供される、請求項１３に記載の方法。
【請求項１６】
前記メッセージは、ＳＲＮＣとＤＲＮＣとの間で使用されるＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）メッセージである、請求項１５に記載の方法。
【請求項１７】
前記無線接続インターフェースプロトコルがユーザ平面プロトコルである場合、前記パワーオフセット値は制御フレーム形態で提供される、請求項１３に記載の方法。
【請求項１８】
前記制御フレームは、
パラメータの有無を示す無線インターフェースパラメータアップデートフラグフィールドと、
前記ＨＳ−ＳＣＣＨの電力制御のためのＰＯ値を伝送するために使用されるＰＯフィールドと
を含む、請求項１７に記載の方法。
【請求項１９】
前記制御フレームは、ＣＦＮ（Ｃｏｎｎｅｃｔｉｏｎ  Ｆｒａｍｅ  Ｎｕｍｂｅｒ）フィールドをさらに含む、請求項１８に記載の方法。
【請求項２０】
前記ＰＯフィールドは、ＤＰＣＣＨ（Ｄｅｄｉｃａｔｅｄ  Ｐｈｙｓｉｃａｌ  Ｃｏｎｔｒｏｌ  Ｃｈａｎｎｅｌ）の非ハンドオーバーまたはソフトハンドオーバーのためのＰＯ値を伝送するために使用される、請求項１８に記載の方法。
【請求項２１】
前記制御フレームは、
選択的に含まれるＣＦＮ（Ｃｏｎｎｅｃｔｉｏｎ  Ｆｒａｍｅ  Ｎｕｍｂｅｒ）フィールドと、
ＤＰＣＣＨ（Ｄｅｄｉｃａｔｅｄ  Ｐｈｙｓｉｃａｌ  Ｃｏｎｔｒｏｌ  Ｃｈａｎｎｅｌ）の非ハンドオーバーまたはソフトハンドオーバーのためのＰＯ値を伝送するために使用されるＰＯフィールドと
を含む、請求項１７に記載の方法。
【請求項２２】
前記制御フレームは、
パラメータの有無を示す無線インターフェースパラメータアップデートフラグフィールドと、
ＣＦＮ（Ｃｏｎｎｅｃｔｉｏｎ  Ｆｒａｍｅ  Ｎｕｍｂｅｒ）フィールドと、
ＴＰＣ（Ｔｒａｎｓｍｉｔ  Ｐｏｗｅｒ  Ｃｏｎｔｒｏｌ）パワーオフセット（ＰＯ）フィールドと、
ＤＰＣ（Ｄｏｗｎｌｉｎｋ  Ｐｏｗｅｒ  Ｃｏｎｔｒｏｌ）モード情報フィールドと、
ＤＰＣＣＨのソフトハンドオーバーのためのＰＯ値を伝送するために使用される第１ＰＯフィールドと、
プライマリーセルに使用されるＨＳ−ＳＣＣＨに対するＰＯ値を伝送するために使用される第２ＰＯフィールドと
を含む、請求項１７に記載の方法。
【請求項２３】
前記制御フレームは、
選択的に含まれるＣＦＮ（Ｃｏｎｎｅｃｔｉｏｎ  Ｆｒａｍｅ  Ｎｕｍｂｅｒ）フィールドと、
ＤＰＣＣＨのソフトハンドオーバーのためのＰＯ値を伝送するために使用される第１ＰＯフィールドと、
プライマリーセルに使用されるＨＳ−ＳＣＣＨに対するＰＯ値を伝送するために使用される第２ＰＯフィールドと
を含む、請求項１７に記載の方法。
【請求項２４】
前記制御フレームは、
パラメータの有無を示す無線インターフェースパラメータアップデートフラグフィールドと、
ＣＦＮ（Ｃｏｎｎｅｃｔｉｏｎ  Ｆｒａｍｅ  Ｎｕｍｂｅｒ）フィールドと、
ＴＰＣ（Ｔｒａｎｓｍｉｔ  Ｐｏｗｅｒ  Ｃｏｎｔｒｏｌ）パワーオフセット（ＰＯ）フィールドと、
ＤＰＣ（Ｄｏｗｎｌｉｎｋ  Ｐｏｗｅｒ  Ｃｏｎｔｒｏｌ）モード情報フィールドと、
ＤＰＣＣＨのソフトハンドオーバーのためのＰＯ値を伝送するために使用される第１ＰＯフィールドと、
プライマリーセルに使用されるＨＳ−ＳＣＣＨに対するＰＯ値を伝送するために使用される第２ＰＯフィールドと、
ノンプライマリーセルに使用されるＨＳ−ＳＣＣＨのＰＯ値を伝送するために使用される第３ＰＯフィールドと
を含む、請求項１７に記載の方法。
【請求項２５】
前記制御フレームは、
選択的に含まれるＣＦＮ（Ｃｏｎｎｅｃｔｉｏｎ  Ｆｒａｍｅ  Ｎｕｍｂｅｒ）フィールドと、
ＤＰＣＣＨのソフトハンドオーバーのためのＰＯ値を伝送するための第１ＰＯフィールドと、
プライマリーセルに使用されるＨＳ−ＳＣＣＨに対するＰＯ値を伝送するための第２ＰＯフィールドと、
ノンプライマリーセルに使用されるＨＳ−ＳＣＣＨのＰＯ値を伝送するための第３ＰＯフィールドと
を含む、請求項１７に記載の方法。
【発明の詳細な説明】
【０００１】
【発明の属する技術分野】
本発明は、３ＧＰＰ  Ｕｎｉｖｅｒｓａｌ  ｍｏｂｉｌｅ  ｔｅｌｅｃｏｍｍｕｎｉｃａｔｉｏｎ  ｓｙｓｔｅｍ（ＵＭＴＳ）システムに係るもので、詳しくは、ＨＳ−ＳＣＣＨ（ｓｈａｒｅｄ  ｃｏｎｔｒｏｌ  ｃｈａｎｎｅｌ  ｆｏｒｈｉｇｈ  ｓｐｅｅｄ  ｄｏｗｎｌｉｎｋ  ｓｈａｒｅｄ  ｃｈａｎｎｅｌ）の電力制御のための制御情報伝送方法に関するものである。
【０００２】
【従来の技術】
一般に、３ＧＰＰ（Ｔｈｉｒｄ  ｇｅｎｅｒａｔｉｏｎ  ｐａｒｔｎｅｒｓｈｉｐ  ｐｒｏｊｅｃｔ）のＵＭＴＳシステムにおいては、高速のパケットデータサービスを支援するため、新しいＨＳ−ＤＳＣＨ（Ｈｉｇｈ  ｓｐｅｅｄ  ｄｏｗｎｌｉｎｋ  ｓｈａｒｅｄ  ｃｈａｎｎｅｌ）を支援している。該ＨＳ−ＤＳＣＨは、３ＧＰＰの技術仕様（Ｔｅｃｈｎｉｃａｌ  Ｓｐｅｃｉｆｉｃａｔｉｏｎｓ）中、ＨＳＤＰＡ（Ｈｉｇｈ  ｓｐｅｅｄ  ｄｏｗｎｌｉｎｋ  ｐａｃｋｅｔ  ａｃｃｅｓｓ）を規定（ｓｐｅｃｉｆｙ）するリリース（Ｒｅｌｅａｓｅ）５に従うシステムで使われる。
【０００３】
前記ＨＳ−ＤＳＣＨは、既存の３ＧＰＰ  Ｒｅｌｅａｓｅ  ９９／Ｒｅｌｅａｓｅ  ４のＷ−ＣＤＭＡシステムとは異なって、短いＴＴＩ（Ｔｒａｎｓｍｉｓｓｉｏｎ  ｔｉｍｅ  ｉｎｔｅｒｖａｌ）（３  ｓｌｏｔ、２ｍｓ）を使用し、高いデータ転送速度を支援するために多様なＭＣＳ（Ｍｏｄｕｌａｔｉｏｎ  ｃｏｄｅ  ｓｅｔｓ）及びＨＡＲＱ（Ｈｙｂｒｉｄ  ＡＲＱ）技術を支援する。
【０００４】
ＨＳＤＰＡシステムにおいて、ＨＳ−ＤＳＣＨは伝送チャンネル（ｔｒａｎｓｐｏｒｔ  ｃｈａｎｎｅｌ）であって、物理チャンネルＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）にマッピングされる（ＨＳ−ＤＳＣＨ  ｉｓ  ｍａｐｐｅｄ  ｏｎｔｏ  ＨＳ−ＰＤＳＣＨ）。物理チャンネルＨＳ−ＰＤＳＣＨは、各サブフレーム（ｓｕｂ−ｆｒａｍｅ）毎に相互相違な使用者に高速の使用者データを伝送するように考案された。
【０００５】
図９は、ＨＳ−ＰＤＳＣＨの構成を示した図である。
【０００６】
ＨＳ−ＰＤＳＣＨは、図９に示したように、２ｍｓのサブフレームから構成され、各サブフレーム毎に相互相違な使用者が共有して使用することができる。
【０００７】
Ｕｓｅｒ  Ｅｑｕｉｐｍｅｎｔ（ＵＥ＝ｔｅｒｍｉｎａｌ）がＨＳ−ＤＳＣＨを通して使用者データを受信するためには、ＨＳ−ＳＣＣＨ（Ｓｈａｒｅｄ  Ｃｏｎｔｒｏｌ  Ｃｈａｎｎｅｌ  ｆｏｒ  ＨＳ−ＤＳＣＨ）及びＤＰＣＨ（Ｄｅｄｉｃａｔｅｄ  ｐｈｙｓｉｃａｌ  ｃｈａｎｎｅｌ）から構成されなければならない。
【０００８】
図１０は、ＤＰＣＨから構成された物理チャンネルのフレーム構造である。
【０００９】
ＤＰＣＨは、図１０に示したように、周期（Ｔｆ）が１０ｍｓである無線フレームから構成され、各無線フレームは、１５のスロット（Ｓｌｏｔ＃０〜Ｓｌｏｔ＃１４）から構成される。この時、一つのスロットの長さ（Ｔｓｌｏｔ）は２５６０チップ（ｃｈｉｐｓ）で、各スロットには、ＤＰＤＣＨ（Ｄｅｄｉｃａｔｅｄ  ｐｈｙｓｉｃａｌ  ｄａｔａ  ｃｈａｎｎｅｌ）とＤＰＣＣＨ（Ｄｅｄｉｃａｔｅｄ  ｐｈｙｓｉｃａｌ  ｃｏｎｔｒｏｌ  ｃｈａｎｎｅｌ）とが交代に介入されている。
【００１０】
又、前記ＤＰＣＨは、左側から順次に第１ＤＰＤＣＨにＮｄａｔａ１ビットのデータ（Ｄａｔａ１）を包含し、第１ＤＰＣＣＨはＴＰＣ（ＮＴＰＣビット）及びＴＦＣＩ（ＮＴＦＣＩビット）を包含することができる。又、その次に来る第２ＤＰＤＣＨはＮｄａｔａ２ビットのデータ（Ｄａｔａ２）を包含し、第２ＣＰＣＣＨはＮｐｉｌｏｔビットのＰｉｌｏｔ信号を包含することができる。
【００１１】
又、前記ＴＦＣＩフィールドは、データフィールドに伝送されるデータの大きさ情報を含む。
【００１２】
又、物理チャンネル（ｐｈｙｓｉｃａｌ  ｃｈａｎｎｅｌ）であるＨＳ−ＳＣＣＨは、ＨＳ−ＤＳＣＨを支援するためのリンク（ｄｏｗｎｌｉｎｋ）共通制御チャンネルの一種（ｔｙｐｅ）である。又、前記ＨＳ−ＳＣＣＨは、ＵＥが高速の使用者データを伝送するＨＳ−ＤＳＣＨを受信し得るようにＵＥ  ＩＤ（ｉｄｅｎｔｉｆｉｃａｔｉｏｎ）及び制御情報を伝送する。ＵＥ  ＩＤ及び制御情報は、ＨＳ−ＳＣＣＨのサブフレーム（２ｍｓ）毎に伝送される。そして、ＨＳ−ＤＳＣＨを伝送するセルが属するＮｏｄｅ  Ｂ（基地局）は、前記ＨＳ−ＳＣＣＨを通して伝送される制御情報を生成する。ＵＥは、ＨＳ−ＳＣＣＨを通して伝送されるＵＥ  ＩＤをモニタリングして自身が受信するデータがあるかを把握した後、ＨＳ−ＳＣＣＨを通して伝送される制御情報を利用し、ＨＳ−ＤＳＣＨを通して伝送される使用者データを受信する。
【００１３】
図１１は、ＨＳ−ＳＣＣＨのサブフレーム構造を示した図である。
【００１４】
ＨＳ−ＳＣＣＨは、図１１に示したように、２ｍｓのサブフレームから構成され、各サブフレーム毎に相互相違な使用者が共有して使用することができる。前記ＨＳ−ＳＣＣＨが伝送される制御情報は、ＴＦＲＩ（Ｔｒａｎｓｐｏｒｔ  ｆｏｒｍａｔ  ａｎｄ  ｒｅｓｏｕｒｃｅ  ｒｅｌａｔｅｄ  ｉｎｆｏｒｍａｔｉｏｎ）と、ＨＡＲＱ関連情報（ＨＡＲＱ−ｒｅｌａｔｅｄ  ｉｎｆｏｒｍａｔｉｏｎ）と、に大別される。ＴＦＲＩには、ＨＳ−ＤＳＣＨ  ｔｒａｎｓｐｏｒｔｃｈａｎｎｅｌ  ｓｅｔ  ｓｉｚｅ、モジュレイション（ｍｏｄｕｌａｔｉｏｎ）、コーディングレイト（Ｃｏｄｉｎｇ  ｒａｔｅ）、マルチコード（Ｍｕｌｔｉｃｏｄｅ）数に関する各情報が含まれ、ＨＡＲＱ関連情報には、ブロックナンバ（Ｂｌｏｃｋ  ｎｕｍｂｅｒ）、冗長バージョン（Ｒｅｄｕｎｄａｎｃｙ  ｖｅｒｓｉｏｎ）のような情報が含まれる。以外にも、使用者情報を示すＵＥ  ＩＤ（ＵＥ  ｉｄｅｎｔｉｆｉｃａｔｉｏｎ）情報が伝送される。
【００１５】
又、各ＵＥは、関連された（ａｓｓｏｃｉａｔｅｄ）ダウンリンクＤＰＣＨを有し、図１２に示したように、端末は最大四つのＨＳ−ＳＣＣＨを受信することができる。
【００１６】
図１３は、ＨＳ−ＳＣＣＨ及びＨＳ−ＤＳＣＨの伝送タイミングである。
【００１７】
図１３に示したように、先ず、ダウンリンクＤＰＣＨが伝送され、ＨＳ−ＳＣＣＨを通して制御情報が伝送された後、ＨＳ−ＤＳＣＨを通してデータが伝送される。ＵＥは、ＨＳ−ＳＣＣＨを通して伝送される制御情報を読み出し、ＨＳ−ＤＳＣＨデータを復旧する。この時、前記二つのチャンネルの重複区間をできる限り大きくし、伝送遅延を低減することができる。
【００１８】
上記のように、ＨＳＤＰＡ技術で提案されたＨＳ−ＤＳＣＨを通して相互相違な使用者に高速の使用者データをサービスする場合、ＨＳ−ＳＣＣＨは一つのセルに少なくとも一つ以上設定（ｃｏｎｆｉｇｕｒａｔｉｏｎ）される。特に、ＨＳＤＰＡ端末が多い場合には、一つのセルに複数のＨＳ−ＳＣＣＨが設定されなければ、效率的にデータサービスを提供することができない。
【００１９】
図１４は、従来のＵＭＴＳ無線接続網（Ｒａｄｉｏ  ａｃｃｅｓｓ  ｎｅｔｗｏｒｋ）（ＵＴＲＡＮ）の構造である。
【００２０】
ＵＴＲＡＮ１１２は、図１４に示したように、ＳＲＮＣ（Ｓｅｒｖｉｎｇ  ＲＮＣ）１１４及び各ＤＲＮＣ（Ｄｒｉｆｔ  ＲＮＣ）１１６が夫々基地局（ノードＢ）を制御する構造から成り、ソフトハンドオーバー時、ＵＥ（＝移動局）１２４は、ＳＲＮＣ１１４及びＤＲＮＣ１１６に存在する各基地局１１８、１２０と通話チャンネルを維持する。又、ＳＲＮＣ１１４、ＤＲＮＣ１１６の下位には複数の基地局（ノードＢ）が存在し、ソフトハンドオーバー時、ＵＥ（１２２）は、ＳＲＮＣ１１４及びＤＲＮＣ１１６に属した各基地局と同時に連結されることができる。この時、基地局（ノード  Ｂ）、ＳＲＮＣ１１４及び各ＤＲＮＣ１１６は、Ｉｕｂインターフェースにより連結され、ＳＲＮＣ１１４及びＤＲＮＣ１１６は、Ｉｕｒインターフェースを通して連結される。そして、ＳＲＮＣ１１４と核心網（Ｃｏｒｅｎｅｔｗｏｒｋ：ＣＮ）１１０とのインターフェースをＩｕと称する。
【００２１】
一般に、ＲＮＣ（Ｒａｄｉｏ  ｎｅｔｗｏｒｋ  ｃｏｎｔｒｏｌｌｅｒ）は、Ｃｏｍｍｏｎ  Ｒａｄｉｏ  Ｒｅｓｏｕｒｃｅを管理するＣｏｎｔｒｏｌ  ＲＮＣ（ＣＲＮＣ）（図示されず）と、各ＵＥ１２２に割当されたＤｅｄｉｃａｔｅｄ  Ｒａｄｉｏ  Ｒｅｓｏｕｒｃｅを管理するＳＲＮＣ（Ｓｅｒｖｉｎｇ  ＲＮＣ）１１４と、に分類される。又、ＤＲＮＣ１１６は、ＤＲＮＳ（Ｄｒｉｆｔ  ｒａｄｉｏ  ｎｅｔｗｏｒｋ  ｓｕｂｓｙｓｔｅｍ）内に存在し、ＵＥ１２２がＳＲＮＣ１１４を抜け出し、自身の領域に移動する場合、ＵＥ１２２に無線資源を提供する目的地の制御局である。
【００２２】
ＵＭＴＳシステムにおける共用チャンネル（ｃｏｍｍｏｎ  ｃｈａｎｎｅｌ）の送信電力は、Ｃｏｍｍｏｎ  Ｒａｄｉｏ  Ｒｅｓｏｕｒｃｅを管理（ｍａｎａｇｅ）するＣＲＮＣで決定する。ＣＲＮＣで決定された共用チャンネルのパワーは、データフレーム（Ｄａｔａ  Ｆｒａｍｅ）に含まれて基地局（ノードＢ）に伝送され、基地局は、データフレームに含まれた送信電力値に基づいて（ｂａｓｅｄ  ｏｎ）共用チャンネルの送信電力を設定する。反面、専用チャンネルの送信電力（ｔｒａｎｓｍｉｓｓｉｏｎ  ｐｏｗｅｒ）は、Ｄｅｄｉｃａｔｅｄ  Ｒａｄｉｏ  Ｒｅｓｏｕｒｃｅを管理するＳＲＮＣで決定する。ＳＲＮＣで決定された専用チャンネルのパワーは、制御フレーム（Ｃｏｎｔｒｏｌ  Ｆｒａｍｅ）に含まれて基地局（ノードＢ）に伝送され、基地局は、制御フレームに含まれた送信電力値に基づいて専用チャンネルの送信電力を設定する。
【００２３】
図１５は、図１４のＵＴＲＡＮにおける無線インターフェースパラメーターアップデートのために使われる制御フレーム構造である。
【００２４】
制御フレームは、図１５に示したように、パラメーターの存在有無を表す２ｂｙｔｅバイトのＦｌａｇフィールドと、１ｂｙｔｅのＣＦＮ（ｃｏｎｎｅｃｔｉｏｎ  ｆｒａｍｅ  ｎｕｍｂｅｒ）、５ｂｉｔのＴＰＣ（ｔｒａｎｓｍｉｔ  ｐｏｗｅｒ  ｃｏｎｔｒｏｌ）パワーオフセット（ＰＯ）及び１ｂｉｔのＤＰＣ（ｄｏｗｎｌｉｎｋ  ｐｏｗｅｒ  ｃｏｎｔｒｏｌ）モード情報フィールドと、から構成され、全体４ｂｙｔｅ以上のペイロードから構成される。
【００２５】
【発明が解決しようとする課題】
然るに、このような従来のシステム（ｃｕｒｒｅｎｔ  ｓｙｓｔｅｍ）においては、共用チャンネル（ｃｏｍｍｏｎ  ｃｈａｎｎｅｌ）の電力はＣＲＮＣが電力を制御する。共用チャンネルの一種のＨＳ−ＳＣＣＨは、各サブフレーム毎に相互相違な端末の情報を伝送する。若し、現在システムのようにＣＲＮＣが共用チャンネル（ＨＳ−ＳＣＣＨ）の電力を管理すると、ＣＲＮＣが各端末の無線チャンネル（ｃｕｒｒｅｎｔ  ｓｙｓｔｅｍ）に応じてＨＳ−ＳＣＣＨの電力を調節し得ないという不都合な点があった。
【００２６】
又、従来のシステム（ｃｕｒｒｅｎｔ  ｓｙｓｔｅｍ）においては、ＣＲＮＣは、各端末の無線チャンネル条件（ｃｏｎｄｉｔｉｏｎ）が分からないため、ＨＳ−ＳＣＣＨの電力を效率的に調節し得ないという不都合な点があった。
【００２７】
本発明は、このような従来の課題に鑑みてなされたもので、ＨＳ−ＳＣＣＨの送信電力を効果的に制御し得る移動通信システムの制御情報伝送方法を提供することを目的とする。
【００２８】
又、ＨＳ−ＳＣＣＨのパワーオフセット（ＰＯ）値を効果的に伝達し得る移動通信システムの制御情報伝送方法を提供することを目的とする。
【００２９】
又、ＨＳ−ＳＣＣＨのパワーオフセット値を基地局に伝達し得る新しい制御メッセージ及びフレーム構造を提供することを目的とする。
【００３０】
又、無線リンクの環境及び状況の変化によってＨＳ−ＳＣＣＨのＰＯ値を選択的に伝達し得る制御メッセージ及びフレーム構造を提供することを目的とする。
【００３１】
又、ＳＲＮＣでＤＰＣＣＨに対する相対的（ｒｅｌａｔｉｖｅ）パワーオフセット（ＰＯ）値を決定して基地局に伝達し得る移動通信システムの制御情報伝送方法を提供することを目的とする。
【００３２】
【課題を解決するための手段】
本発明の移動通信システムの制御情報伝送方法は、ＲＮＣ（Ｒａｄｉｏ  ｎｅｔｗｏｒｋ  ｃｏｎｔｒｏｌｌｅｒ）でＨＳ−ＳＣＣＨ（ｓｈａｒｅｄ  ｃｏｎｔｒｏｌ  ｃｈａｎｎｅｌ  ｆｏｒ  ｈｉｇｈ  ｓｐｅｅｄ  ｄｏｗｎｌｉｎｋｓｈａｒｅｄ  ｃｈａｎｎｅｌ）のパワーオフセット（Ｐｏｗｅｒ  ｏｆｆ  ｓｅｔ；ＰＯ）値を決定する工程と、該決定されたＰＯ値をＲＮＣ−基地局間インターフェースプロトコルを通して基地局に伝送する工程と、
基地局が受信したＰＯ値を利用してＨＳ−ＳＣＣＨの送信電力を決定する工程と、を順次行うことを特徴とする。
【００３３】
本発明の移動通信システムにおけるＨＳ−ＳＣＣＨのための制御情報伝送方法は、前記ＲＮＣは、各ＵＥに割当された専用無線資源（Ｄｅｄｉｃａｔｅｄ  Ｒａｄｉｏ  Ｒｅｓｏｕｒｃｅ）を管理するＳＲＮＣ（Ｓｅｒｖｉｎｇ  ＲＮＣ）であることを特徴としてもよい。
【００３４】
本発明の移動通信システムにおけるＨＳ−ＳＣＣＨのための制御情報伝送方法は、前記ＲＮＣ−基地局間インターフェースプロトコルは、Ｃｏｎｔｒｏｌ  ｐｌａｎｅ又はＵｓｅｒ  ｐｌａｎｅであることを特徴としてもよい。
【００３５】
本発明の移動通信システムにおけるＨＳ−ＳＣＣＨのための制御情報伝送方法は、前記ＨＳ−ＳＣＣＨの送信電力は、ＤＰＣＣＨ（ｄｅｄｉｃａｔｅｄ  ｐｈｙｓｉｃａｌ  ｃｏｎｔｒｏｌ  ｃｈａｎｎｅｌ）の各フィールド電力に対するパワーオフセット値により決定されることを特徴としてもよい。
【００３６】
本発明の移動通信システムにおけるＨＳ−ＳＣＣＨのための制御情報伝送方法は、前記パワーオフセット値は、無線接続インターフェースプロトコルがｃｏｎｔｒｏｌ  ｐｌａｎｅプロトコルの場合、メッセージ形態で伝送されることを特徴としてもよい。
【００３７】
本発明の移動通信システムにおけるＨＳ−ＳＣＣＨのための制御情報伝送方法は、前記メッセージが、ＳＲＮＣとＤＲＮＣ（Ｄｒｉｆｔ  ＲＮＣ）間に使われるＲＮＳＡＰ（ｒａｄｉｏ  ｎｅｔｗｏｒｋ  ｓｕｂｓｙｓｔｅｍ  ａｐｐｌｉｃａｔｉｏｎ  Ｐａｒｔ）メッセージと、ＲＮＣと基地局間に使われるＮＢＡＰ（Ｎｏｄｅ  Ｂ  ａｐｐｌｉｃａｔｉｏｎ  ｐａｒｔ）メッセージであることを特徴としてもよい。
【００３８】
本発明の移動通信システムにおけるＨＳ−ＳＣＣＨのための制御情報伝送方法は、前記パワーオフセット値は、無線接続インターフェースプロトコルがＵｓｅｒ  ｐｌａｎｅプロトコルの場合、制御フレーム形態で伝送されることを特徴としてもよい。
【００３９】
本発明の移動通信システムにおけるＨＳ−ＳＣＣＨのための制御情報伝送方法は、前記制御フレームは、パラメーターの有無を表すＲａｄｉｏ  ｉｎｔｅｒｆａｃｅ  ｐａｒａｍｅｔｅｒ  ｕｐｄａｔｅ  ｆｌａｇフィールドと、ＨＳ−ＳＣＣＨの電力制御のためのＰＯ値を伝達するＰＯフィールドと、を含むことを特徴としてもよい。
【００４０】
本発明の移動通信システムの制御情報伝送方法は、前記制御フレームは、ＣＦＮ（Ｃｏｎｎｅｃｔｉｏｎ  ｆｒａｍｅ  ｎｕｍｂｅｒ）フィールドが追加して含まれることを特徴としてもよい。
【００４１】
本発明の移動通信システムの制御情報伝送方法は、前記ＰＯ値は、ノンハンドオーバー（ｎｏｎ−ｈａｎｄｏｖｅｒ）又はＤＰＣＣＨのソフトハンドオーバー（ｓｏｆｔ  ｈａｎｄｏｖｅｒ）のためのＰＯ値を伝達することを特徴としてもよい。
【００４２】
本発明の移動通信システムの制御情報伝送方法は、前記制御フレームは、選択的に含まれるＣＦＮ（Ｃｏｎｎｅｃｔｉｏｎ  ｆｒａｍｅ  ｎｕｍｂｅｒ）フィールドと、ノンハンドオーバー又はＤＰＣＣＨのソフトハンドオーバーのためのＰＯ値を伝達するＰＯフィールドと、から構成されたことを特徴としてもよい。
【００４３】
本発明の移動通信システムの制御情報伝送方法は、前記制御フレームは、パラメーターの有無を表すＲａｄｉｏ  ｉｎｔｅｒｆａｃｅ  ｐａｒａｍｅｔｅｒ  ｕｐｄａｔｅ  ｆｌａｇフィールドと、ＣＦＮ（Ｃｏｎｎｅｃｔｉｏｎ  ｆｒａｍｅ  ｎｕｍｂｅｒ）フィールドと、ＴＰＣ（Ｔｒａｎｓｍｉｔ  ｐｏｗｅｒ  ｃｏｎｔｒｏｌ）パワーオフセット（ＰＯ）フィールドと、ＤＰＣ（Ｄｏｗｎｌｉｎｋ  ｐｏｗｅｒ  ｃｏｎｔｒｏｌ）モード情報フィールドと、ＤＰＣＣＨのソフトハンドオーバーのためのＰＯ値を伝達する第１ＰＯフィールドと、プライマリーセルに使われるＨＳ−ＳＣＣＨに対するＰＯ値を伝達する第２ＰＯフィールドと、から構成されたことを特徴としてもよい。
【００４４】
本発明の移動通信システムの制御情報伝送方法は、前記制御フレームは、選択的に含まれるＣＦＮ（Ｃｏｎｎｅｃｔｉｏｎ  ｆｒａｍｅ  ｎｕｍｂｅｒ）フィールドと、ＤＰＣＣＨのソフトハンドオーバーのためのＰＯ値を伝達する第１ＰＯフィールドと、プライマリーセル（Ｐｒｉｍａｒｙ  ｃｅｌｌ）に使われるＨＳ−ＳＣＣＨに対するＰＯ値を伝達する第２ＰＯフィールドと、から構成されたことを特徴としてもよい。
【００４５】
本発明の移動通信システムの制御情報伝送方法は、前記制御フレームは、パラメーターの有無を表すＲａｄｉｏ  ｉｎｔｅｒｆａｃｅ  ｐａｒａｍｅｔｅｒ  ｕｐｄａｔｅ  ｆｌａｇフィールドと、ＣＦＮ（Ｃｏｎｎｅｃｔｉｏｎ  ｆｒａｍｅ  ｎｕｍｂｅｒ）フィールドと、ＴＰＣ（Ｔｒａｎｓｍｉｔ  ｐｏｗｅｒ  ｃｏｎｔｒｏｌ）パワーオフセット（ＰＯ）フィールドと、ＤＰＣ（Ｄｏｗｎｌｉｎｋ  ｐｏｗｅｒ  ｃｏｎｔｒｏｌ）モード情報フィールドと、ＤＰＣＣＨのソフトハンドオーバーのためのＰＯ値を伝達する第１ＰＯフィールドと、プライマリーセルに使われるＨＳ−ＳＣＣＨのＰＯ値を伝達する第２ＰＯフィールドと、ノンプライマリーセル（Ｎｏｎ−ｐｒｉｍａｒｙ  ｃｅｌｌ）に使われるＨＳ−ＳＣＣＨのＰＯ値を伝達する第３ＰＯフィールドと、から構成されたことを特徴としてもよい。
【００４６】
本発明の移動通信システムの制御情報伝送方法は、前記制御フレームは、選択的に含まれるＣＦＮ（Ｃｏｎｎｅｃｔｉｏｎ  ｆｒａｍｅ  ｎｕｍｂｅｒ）フィールドと、ＤＰＣＣＨのソフトハンドオーバーのためのＰＯ値を伝達する第１ＰＯフィールドと、プライマリーセルに使われるＨＳ−ＳＣＣＨのＰＯ値を伝達する第２ＰＯフィールドと、ノンプライマリーセルに使われるＨＳ−ＳＣＣＨのＰＯ値を伝達する第３ＰＯフィールドと、から構成されたことを特徴としてもよい。
【００４７】
本発明の移動通信システムの制御情報伝送方法は、ＤＰＣＣＨに対する相対的パワーオフセット（ＰＯ）値を利用して基地局からＵＥに伝送されるＨＳ−ＳＣＣＨ（ｓｈａｒｅｄ  ｃｏｎｔｒｏｌ  ｃｈａｎｎｅｌ  ｆｏｒ  ＨＳ−ＤＳＣＨ）の送信電力を決定するＵＭＴＳ（Ｕｎｉｖｅｒｓａｌ  ｍｏｂｉｌ  ｅｔｅｌｅｃｏｍｍｕｎｉｃａｔｉｏｎ  ｓｙｓｔｅｍ）システムにおいて、前記パワーオフセット値は、ＳＲＮＣ（Ｓｅｒｖｉｎｇ  ｒａｄｉｏ  ｎｅｔｗｏｒｋ  ｃｏｎｔｒｏｌｌｅｒ）で決定され、ＲＮＣ−基地局間インターフェースプロトコルを通して基地局に伝えられることを特徴とする。
【００４８】
本発明の移動通信システムにおけるＨＳ−ＳＣＣＨのための制御情報伝送方法は、前記ＲＮＣ−基地局間インターフェースプロトコルは、Ｃｏｎｔｒｏｌ  ｐｌａｎｅ又はＵｓｅｒ  ｐｌａｎｅであることを特徴としてもよい。
【００４９】
本発明の移動通信システムにおけるＨＳ−ＳＣＣＨのための制御情報伝送方法は、前記パワーオフセット値は、無線接続インターフェースプロトコルがＣｏｎｔｒｏｌ  ｐｌａｎｅプロトコルの場合、メッセージ形態で伝送されることを特徴としてもよい。
【００５０】
本発明の移動通信システムにおけるＨＳ−ＳＣＣＨのための制御情報伝送方法は、前記メッセージが、ＳＲＮＣとＤＲＮＣ（Ｄｒｉｆｔ  ＲＮＣ）間に使われるＲＮＳＡＰ（ｒａｄｉｏ  ｎｅｔｗｏｒｋ  ｓｕｂｓｙｓｔｅｍ  ａｐｐｌｉｃａｔｉｏｎ  Ｐａｒｔ）メッセージと、ＲＮＣと基地局間に使われるＮＢＡＰ（Ｎｏｄｅ  Ｂ  ａｐｐｌｉｃａｔｉｏｎ  ｐａｒｔ）メッセージであることを特徴としてもよい。
【００５１】
本発明の移動通信システムにおけるＨＳ−ＳＣＣＨのための制御情報伝送方法は、前記パワーオフセット値が、ＲＮＣ−基地局間インターフェースプロトコルがＵｓｅｒ  ｐｌａｎｅプロトコルの場合、制御フレーム形態で伝送されることを特徴としてもよい。
【００５２】
本発明の移動通信システムの制御情報伝送方法は、前記制御フレームは、ノンハンドオーバー又はＤＰＣＣＨのソフトハンドオーバーのためのＰＯ値を伝達するＰＯフィールドを含んで構成されたことを特徴としてもよい。
【００５３】
本発明の移動通信システムの制御情報伝送方法は、前記制御フレームが、ノンハンドオーバー又はＤＰＣＣＨのソフトハンドオーバーのためのＰＯ値を伝達する第１ＰＯフィールドと、プライマリーセルに使われるＨＳ−ＳＣＣＨに対するＰＯ値を伝達する第２ＰＯフィールドと、を含んで構成されたことを特徴としてもよい。
【００５４】
本発明の移動通信システムの制御情報伝送方法は、前記制御フレームが、ノンハンドオーバー又はＤＰＣＣＨのソフトハンドオーバーのためのＰＯ値を伝達する第１ＰＯフィールドと、プライマリーセルに使われるＰＯ値を伝達する第２ＰＯフィールドと、ノンプライマリーセルに使われるＰＯ値を伝達する第３ＰＯフィールドと、を含んで構成されたことを特徴としてもよい。
【００５５】
本発明の移動通信システムの制御情報伝送方法は、基地局からＵＥに伝送されるＨＳ−ＳＣＣＨ（ｓｈａｒｅｄ  ｃｏｎｔｒｏｌ  ｃｈａｎｎｅｌ  ｆｏｒ  ＨＳ−ＤＳＣＨ）の送信電力をＤＰＣＣＨに対する相対的パワーオフセット（ＰＯ）値に決定するＨＳＤＰＡ（ｈｉｇｈ  ｓｐｅｅｄ  ｄａｔａ  ｐａｃｋｅｔａｃｃｅｓｓ）サービスにおいて、前記パワーオフセット値は、ＳＲＮＣで決定されて制御フレーム又はメッセージ形態で基地局に伝えられることを特徴とする。
【００５６】
本発明の移動通信システムにおけるＨＳ−ＳＣＣＨのための制御情報伝送方法は、前記メッセージが、ＳＲＮＣとＤＲＮＣ（Ｄｒｉｆｔ  ＲＮＣ）間に使われるＲＮＳＡＰ（ｒａｄｉｏ  ｎｅｔｗｏｒｋ  ｓｕｂｓｙｓｔｅｍ  ａｐｐｌｉｃａｔｉｏｎ  Ｐａｒｔ）メッセージと、ＲＮＣと基地局間に使われるＮＢＡＰ（Ｎｏｄｅ  Ｂ  ａｐｐｌｉｃａｔｉｏｎ  ｐａｒｔ）メッセージであることを特徴としてもよい。
【００５７】
本発明の移動通信システムの制御情報伝送方法は、前記制御フレームは、ノンハンドオーバー又はＤＰＣＣＨのソフトハンドオーバーのためのＰＯ値を伝達するＰＯフィールドを含んで構成されたことを特徴としてもよい。
【００５８】
本発明の移動通信システムの制御情報伝送方法は、前記制御フレームが、ノンハンドオーバー又はＤＰＣＣＨのソフトハンドオーバーのためのＰＯ値を伝達する第１ＰＯフィールドと、プライマリーセルに使われるＨＳ−ＳＣＣＨに対するＰＯ値を伝達する第２ＰＯフィールドと、を含んで構成されたことを特徴としてもよい。
【００５９】
本発明の移動通信システムの制御情報伝送方法は、前記制御フレームが、ノンハンドオーバー又はＤＰＣＣＨのソフトハンドオーバーのためのＰＯ値を伝達する第１ＰＯフィールドと、プライマリーセルに使われるＰＯ値を伝達する第２ＰＯフィールドと、ノンプライマリーセルに使われるＰＯ値を伝達する第３ＰＯフィールドと、を含んで構成されたことを特徴としてもよい。
【００６０】
このような目的を達成するため、本発明に係る移動通信システムの制御情報伝送方法においては、ＲＮＣ（Ｒａｄｉｏ  ｎｅｔｗｏｒｋ  ｃｏｎｔｒｏｌｌｅｒ）におけるＨＳ−ＳＣＣＨ（Ｓｈａｒｅｄ  ｃｏｎｔｒｏｌ  ｃｈａｎｎｅｌｆｏｒ  ＨＳ−ＤＳＣＨ）のパワーオフセット（ＰＯ）値を決定する工程と、該決定されたＰＯ値を無線接続インターフェースプロトコルを通して基地局に伝送する工程と、該伝送されたＰＯ値を利用してＨＳ−ＳＣＣＨの送信電力を決定する工程と、を順次行うことを特徴とする。
【００６１】
好ましくは、前記ＲＮＣは、各ＵＥに割当された専用無線資源（Ｄｅｄｉｃａｔｅｄ  Ｒａｄｉｏ  Ｒｅｓｏｕｒｃｅ）を管理するＳＲＮＣ（Ｓｅｒｖｉｎｇ
ＲＮＣ）であることを特徴とする。
【００６２】
好ましくは、前記無線接続インターフェースプロトコルは、制御平面（Ｃｏｎｔｒｏｌ  Ｐｌａｎｅ）又は使用者平面（Ｕｓｅｒ  Ｐｌａｎｅ）であり、前記ＨＳ−ＳＣＣＨの送信電力は、ＤＰＣＣＨの各フィールド電力に対するパワーオフセット値により決定されることを特徴とする。
【００６３】
好ましくは、前記パワーオフセット（ＰＯ）値は、無線接続インターフェースプロトコルが制御平面プロトコルの場合はメッセージ形態で伝送され、使用者平面プロトコルの場合は、制御フレーム形態で伝送されることを特徴とする。
【００６４】
好ましくは、前記メッセージは、ＳＲＮＣと各Ｄｒｉｆｔ  ＲＮＣ間に使われるＲＮＳＡＰ（ｒａｄｉｏ  ｎｅｔｗｏｒｋ  ｓｕｂｓｙｓｔｅｍ  ａｐｐｌｉｃａｔｉｏｎ  Ｐａｒｔ）メッセージと、ＳＲＮＣと基地局間に使われるＮＢＡＰ（Ｎｏｄｅ  Ｂ  ａｐｐｌｉｃａｔｉｏｎ  ｐａｒｔ）メッセージであることを特徴とする。
【００６５】
好ましくは、前記制御フレームは、前記一つのＰＯ値を伝達するＰＯフィールドを含んで構成されたことを特徴とする。
【００６６】
好ましくは、前記制御フレームは、ノンハンドオーバー又はソフトハンドオーバーのためのＰＯ値を伝達するＰＯフィールドを含んで構成されたことを特徴とする。
【００６７】
好ましくは、前記制御フレームは、ノンハンドオーバー又はソフトハンドオーバーのためのＰＯ値を伝達する第１ＰＯフィールドと、プライマリーセルに使われるＨＳ−ＳＣＣＨに対するＰＯ値を伝達する第２ＰＯフィールドと、を含んで構成されたことを特徴とする。
【００６８】
好ましくは、前記制御フレームは、ノンハンドオーバー又はソフトハンドオーバーのためのＰＯ値を伝達する第１ＰＯフィールドと、プライマリーセルに使われるＰＯ値を伝達する第２ＰＯフィールドと、ノンプライマリーセルに使われるＰＯ値を伝達する第３ＰＯフィールドと、を含んで構成されたことを特徴とする。
【００６９】
このような目的を達成するため、本発明に係る移動通信システムの制御情報伝送方法は、ＤＰＣＣＨに対する相対的パワーオフセット（ＰＯ）値を利用して基地局からＵＥに伝送されるＨＳ−ＳＣＣＨ（ｓｈａｒｅｄ  ｃｏｎｔｒｏｌ  ｃｈａｎｎｅｌ  ｆｏｒ  ＨＳ−ＤＳＣＨ）の送信電力を決定するＵＭＴＳ（Ｕｎｉｖｅｒｓａｌ  ｍｏｂｉｌ  ｅｔｅｌｅｃｏｍｍｕｎｉｃａｔｉｏｎ  ｓｙｓｔｅｍ）システムにおいて、前記パワーオフセット値は、ＳＲＮＣで決定されて無線接続インターフェースプロトコルを通して基地局に伝えられることを特徴とする。
【００７０】
好ましくは、前記無線接続インターフェースプロトコルが制御平面プロトコルである場合、パワーオフセット（ＰＯ）値は、メッセージ又は制御フレーム形態で伝送されることを特徴とする。
【００７１】
好ましくは、前記メッセージは、ＳＲＮＣとＤｒｉｆｔ  ＲＮＣ（ＤＲＮＣ）間に使われるＲＮＳＡＰ（ｒａｄｉｏ  ｎｅｔｗｏｒｋ  ｓｕｂｓｙｓｔｅｍ  ａｐｐｌｉｃａｔｉｏｎ  Ｐａｒｔ）メッセージと、ＳＲＮＣと基地局間に使われるＮＢＡＰ（Ｎｏｄｅ  Ｂ  ａｐｐｌｉｃａｔｉｏｎ  ｐａｒｔ）メッセージであることを特徴とする。
【００７２】
好ましくは、前記制御フレームは、前記一つのＰＯ値を伝達するＰＯフィールドを含んで構成されたことを特徴とする。
【００７３】
好ましくは、前記制御フレームは、ノンハンドオーバー又はソフトハンドオーバーのためのＰＯ値を伝達するＰＯフィールドを含んで構成されたことを特徴とする。
【００７４】
好ましくは、前記制御フレームは、ノンハンドオーバー又はソフトハンドオーバーのためのＰＯ値を伝達する第１ＰＯフィールドと、プライマリーセルに使われるＨＳ−ＳＣＣＨに対するＰＯ値を伝達する第２ＰＯフィールドと、を含んで構成されたことを特徴とする。
【００７５】
好ましくは、前記制御フレームは、ノンハンドオーバー又はソフトハンドオーバーのためのＰＯ値を伝達する第１ＰＯフィールドと、プライマリーセルに使われるＰＯ値を伝達する第２ＰＯフィールドと、ノンプライマリーセルに使われるＰＯ値を伝達する第３ＰＯフィールドと、を含んで構成されたことを特徴とする。
【００７６】
このような目的を達成するため、本発明に係る移動通信システムの制御情報伝送方法は、基地局からＵＥに伝送されるＨＳ−ＳＣＣＨ（ｈｉｇｈ  ｓｐｅｅｄｓｈａｒｅｄ  ｃｏｎｔｒｏｌ  ｃｈａｎｎｅｌ）の送信電力をＤＰＣＣＨに対する相対的パワーオフセット（ＰＯ）値に決定するＨＳＤＰＡ（ｈｉｇｈ  ｓｐｅｅｄ  ｄａｔａ  ｐａｃｋｅｔ  ａｃｃｅｓｓ）サービスにおいて、前記パワーオフセット値は、ＳＲＮＣで決定され、制御フレーム又はメッセージ形態で無線接続インターフェースプロトコルを通して基地局に伝えられることを特徴とする。
【００７７】
好ましくは、前記メッセージは、ＳＲＮＣとＤＲＮＣ（Ｄｒｉｆｔ  ＲＮＣ）間に使われるＲＮＳＡＰ（ｒａｄｉｏ  ｎｅｔｗｏｒｋ  ｓｕｂｓｙｓｔｅｍ  ａｐｐｌｉｃａｔｉｏｎ  Ｐａｒｔ）メッセージと、ＳＲＮＣと基地局間に使われるＮＢＡＰ（Ｎｏｄｅ  Ｂ  ａｐｐｌｉｃａｔｉｏｎ  ｐａｒｔ）メッセージであることを特徴とする。
【００７８】
好ましくは、前記制御フレームは、前記一つのＰＯ値を伝達するＰＯフィールドを含んで構成されたことを特徴とする。
【００７９】
好ましくは、前記制御フレームは、ノンハンドオーバー又はソフトハンドオーバーのためのＰＯ値を伝達するＰＯフィールドを含んで構成されたことを特徴とする。
【００８０】
好ましくは、前記制御フレームは、ノンハンドオーバー又はソフトハンドオーバーのためのＰＯ値を伝達する第１ＰＯフィールドと、プライマリーセルに使われるＨＳ−ＳＣＣＨに対するＰＯ値を伝達する第２ＰＯフィールドと、を含んで構成されたことを特徴とする。
【００８１】
好ましくは、前記制御フレームは、ノンハンドオーバー又はソフトハンドオーバーのためのＰＯ値を伝達する第１ＰＯフィールドと、プライマリーセルに使われるＰＯ値を伝達する第２ＰＯフィールドと、ノンプライマリーセルに使われるＰＯ値を伝達する第３ＰＯフィールドと、を含んで構成されたことを特徴とする。
【００８２】
【発明の実施の形態】
以下、本発明の実施の形態に対し、図面を用いて説明する。
【００８３】
一般に、ＨＳ−ＳＣＣＨは、複数のサブフレーム（Ｔｆｒａｍｅ＝２ｍｓ）に分けられ、各サブフレームは、特定ＵＥに該当する制御情報（ｃｏｎｔｒｏｌ  ｉｎｆｏｒｍａｔｉｏｎ  ｄｅｄｉｃａｔｅｄ  ｔｏ  ａ  ｓｐｅｃｉｆｉｃ  ＵＥ）を伝送する。このような特性を利用して本発明は、一般的な共通制御チャンネルと異なって、ＨＳ−ＳＣＣＨの各サブフレームを各ＵＥ（ＵＥ＃１−ＵＥ＃４）に適合な電力（ｒｅｑｕｉｒｅｄ  ｐｏｗｅｒ  ｆｏｒ  ｅａｃｈ  ＵＥ）で伝送する。
【００８４】
このため、本発明は、各ＵＥのためのＤＰＣＨの電力制御（ｔｈｅ  ｐｏｗｅｒ  ｃｏｎｔｒｏｌ  ｏｆ  ＤＰＣＨ  ｆｏｒ  ｅａｃｈ  ＵＥ）を利用してＨＳ−ＤＳＣＨで使われるＨＳ−ＳＣＣＨの電力制御を遂行する。即ち、ダウンリンク（ｄｏｗｎｌｉｎｋ；ＤＬ）ＤＰＣＨの送信電力に対する相対的（ｒｅｌａｔｉｖｅ  ｔｏ  ｔｈｅ  ｔｒａｎｓｍｉｓｓｉｏｎ  ｐｏｗｅｒ  ｏｆ  ＤＬＤＰＣＨ）パワーオフセット（Ｐｏｗｅｒ  Ｏｆｆｓｅｔ；ＰＯ）値を利用してＨＳ−ＳＣＣＨの送信電力を調節する。詳しくは、ＤＰＣＣＨのパイロットフィールドの送信電力に対するＰＯ値を利用する。
【００８５】
一般に、無線接続インターフェースプロトコルは、制御信号（ｓｉｇｎａｌｉｎｇ）伝達のための制御平面（Ｃｏｎｔｒｏｌ  Ｐｌａｎｅ）と、データ情報の伝送のための使用者平面（Ｕｓｅｒ  Ｐｌａｎｅ）と、に大別される。使用者平面は、音声及びＩＰパケットの伝送などのように使用者のトラフィック情報が伝えられる領域で、制御平面は、網のインターフェース及び呼の管理のための制御情報が伝えられる領域を示す。
【００８６】
図１はＵＴＲＡＮの制御平面プロトコルで、図２はＵＴＲＡＮの使用者平面プロトコルである。
【００８７】
図１に示したように、制御平面プロトコルは、移動局（＝ＵＥ）とＲＮＣ間に使われるＲＲＣ（Ｒａｄｉｏ  ｒｅｓｏｕｒｃｅ  ｃｏｎｔｒｏｌ）プロトコルと、基地局（ノードＢ）とＲＮＣ間に使われるＮＢＡＰ（Ｎｏｄｅ  Ｂ  ａｐｐｌｉｃａｔｉｏｎ  ｐａｒｔ）プロトコルと、各ＲＮＣ間に使われるＲＮＳＡＰ（ｒａｄｉｏ  ｎｅｔｗｏｒｋ  ｓｕｂｓｙｓｔｅｍ  ａｐｐｌｉｃａｔｉｏｎＰａｒｔ）プロトコルと、ＲＮＣと核心網（ＣＮ）間に使われるＲＡＮＡＰ（Ｒａｄｉｏ  ａｃｃｅｓｓ  ｎｅｔｗｏｒｋ  ａｐｐｌｉｃａｔｉｏｎ  ｐａｒｔ）プロトコルと、から構成される。
【００８８】
又、各制御平面プロトコルは、クライアントサーバ（Ｃｌｉｅｎｔ−Ｓｅｒｖｅｒ）原則環境下で存在するが、ＩｕインターフェースにおけるＵＭＴＳ無線接続網１１２及び核心網１１０は、夫々サーバー及びクライアント（Ｃｌｉｅｎｔ）役割をする。同様に、Ｉｕｂインターフェースにおける基地局はサーバーの役割をし、ＲＮＣはクライアント（Ｃｌｉｅｎｔ）の役割をし、ＩｕｒインターフェースにおけるＤＲＮＣはサーバーの役割をし、ＳＲＮＣが各リモート基地局に対する制御サービスを要請するクライアント（Ｃｌｉｅｎｔ）の役割をする。
【００８９】
このようなＮＢＡＰ、ＲＮＳＡＰ及びＲＡＮＡＰプロトコルには、基地局とＲＮＣ、ＲＮＣ間、又、核心網とＲＮＣ間の無線アクセスベアラー（Ｒａｄｉｏ  Ａｃｃｅｓｓ  Ｂｅａｒｅｒ）に対する多様な制御メッセージが含まれることができる。この時、制御メッセージは、使用者平面に送る場合には、制御フレーム（Ｃｏｎｔｒｏｌ  Ｆｒａｍｅ）の形態で伝えられ、制御平面に送る場合には、ＮＢＡＰ又はＲＮＳＡＰメッセージの形態で伝えられる。
【００９０】
本発明は、移動局（＝ＵＥ）からＴＰＣ（Ｔｒａｎｓｍｉｔ  ｐｏｗｅｒ  ｃｏｎｔｒｏｌ）コマンド（Ｃｏｍｍａｎｄ）が受信されると、基地局は、受信された電力制御命令に基づいてＤＬ  ＤＰＣＨの送信電力を設定し、該ＤＬ  ＤＰＣＨの送信電力に対する相対的パワーオフセット（ＰＯ）値を利用し、移動局に伝送されるＨＳ−ＳＣＣＨの送信電力を決定する。
【００９１】
この時、本発明は、ＨＳ−ＳＣＣＨの電力制御のためのパワーオフセット（ＰＯ）値をＲＮＣ（Ｒａｄｉｏ  ｎｅｔｗｏｒｋ  ｃｏｎｔｒｏｌｌｅｒ）で、より詳しくは、ＳＲＮＣで決定して基地局に伝達する。従来のシステムにおける共用チャンネルは、多くの使用者が同時に受信し得るようにするために送信電力をＣＲＮＣで決定した。然し、ＨＳ−ＳＣＣＨの特定サブフレームは、特定ＵＥのみを受信するとよいため、ＨＳ−ＳＣＣＨのＰＯ値はＳＲＮＣで決定して基地局に伝達し、基地局は、受信したＰＯ値を利用してＨＳ−ＳＣＣＨの送信電力を決定する。
【００９２】
又、本発明において、前記ＳＲＮＣで決定されたＰＯ値は、使用者平面の場合には制御フレーム形態で伝えられ、制御平面に送る場合にはＮＢＡＰ又はＲＮＳＡＰメッセージ形態で伝えられる。
【００９３】
即ち、ＳＲＮＣは、図１及び図２に示したように、ＨＳ−ＳＣＣＨのためのＰＯ値を決定した後、Ｉｕｒインターフェースを通して前記ＨＳ−ＳＣＣＨ  ＰＯ値が含まれた制御フレーム又はメッセージ（ＲＮＳＡＰ）をＤＲＮＣに伝送し、該ＤＲＮＳは、再びＩｕｂインターフェースを通して前記制御フレーム又はメッセージ（ＮＢＡＰ）を基地局（ＢＳ）に伝達する。従って、基地局は、伝えられた制御メッセージ又はメッセージ（ＮＢＡＰ又はＲＮＳＡＰ）に含まれたＨＳ−ＳＣＣＨ  ＰＯ値を使用してＨＳ−ＳＣＣＨの送信電力を調整する。
【００９４】
図３は、使用者平面におけるＨＳ−ＳＣＣＨのＰＯ値を伝達するための本発明の第１実施形態に係る制御フレーム構造である。
【００９５】
本発明に係る制御フレームの第１実施形態は、図３に示したように、図１５に図示された従来の制御フレームにＨＳ−ＳＣＣＨのＰＯ値を伝達するためのフィールド（ＨＳ−ＳＣＣＨ  ＰＯ）が追加して含まれる。この時、前記制御フレームは、１ｂｙｔｅ中、少なくとも７ビット以上のＨＳ−ＳＣＣＨ  ＰＯフィールドを含む。該ＨＳ−ＳＣＣＨ  ＰＯフィールドは可変的で、若しＨＳ−ＳＣＣＨＰＯフィールドが７ｂｉｔである場合、１ビットのスペアビット（ｓｐａｒｅｂｉｔ）を含むフォーマットから構成され、全体ペイロードが５ｂｙｔｅ以上になるようにする。
【００９６】
図４は、本発明に係る制御フレーム構造の第２実施形態で、本発明に係るフレーム構造の第１実施形態の相違な形態である。
【００９７】
本発明に係る制御フレームの第２実施形態は、図４に示したように、１ｂｙｔｅのＣＦＮフィールドと、少なくとも７ｂｉｔ以上のＨＳ−ＳＣＣＨ  ＰＯフィールドと、スペア拡張（ｓｐａｒｅ  Ｅｘｔｅｎｓｉｏｎ）フィールドと、から構成される。前記ＨＳ−ＳＣＣＨ  ＰＯフィールドの長さは、可変的で全体ペイロードは２ｂｙｔｅ以上になるようにする。
【００９８】
本発明に係る制御フレームの第１実施形態及び第２実施形態は、非ハンドオーバー（ノンハンドオーバー）状態は勿論、ソフトハンドオーバー（Ｓｏｆｔ  ｈａｎｄｏｖｅｒ）状態でＳＲＮＣで決定されたＰＯ値を基地局に伝達する役割をする。
【００９９】
従って、基地局は、前記制御フレームのＨＳ−ＳＣＣＨ  ＰＯフィールドを通して伝送されたＳＣＣＨのＰＯ値に基づいて非ハンドオーバー時又はＤＰＣＣＨのソフトハンドオーバーのように無線リンクの条件（ｃｏｎｄｉｔｉｏｎ）が変化した時にも、ＨＳ−ＳＣＣＨの送信電力を効果的に制御することができる。
【０１００】
一般に、３ＧＰＰ  ＷＣＤＭＡにおいては、ソフトハンドオーバー時、複数のセル（ｃｅｌｌ）から伝送されるＤＰＣＨによる干渉発生を最小化させるため、ＳＳＤＴ（Ｓｉｔｅ  Ｓｅｌｅｃｔｉｏｎ  Ｄｉｖｅｒｓｉｔｙ  Ｔｒａｎｓｍｉｔ）技術を利用する。
【０１０１】
該ＳＳＤＴ技術において、ソフトハンドオーバー時にＵＥは、アクティブセル中、ＣＰＩＣＨ（Ｃｏｍｍｏｎ  Ｐｉｌｏｔ  Ｃｈａｎｎｅｌ）のＲＳＣＰ（Ｒｅｃｅｉｖｅｄ  Ｓｉｇｎａｌ  Ｐｏｗｅｒ  Ｃｏｄｅ）値が最も高いセルをプライマリーセルに選択し、残りのアクティブセルをノンプライマリーセルに指定した後、各アクティブセルにプライマリーセルのＩＤを伝送する。
【０１０２】
次いで、プライマリーセルはＤＰＣＨデータを伝送し、各ノンプライマリーセルはＤＰＣＨデータ伝送を一時中止する。ＵＥは、ＣＰＩＣＨのＲＳＣＰを周期的に測定して周期的にプライマリーセルのＳＳＤＴ  ＩＤを全アクティブセルに伝送する。この時、ＵＥは、プライマリーセルＩＤをＤＰＣＣＨのＦＢＩ（Ｆｅｅｄｂａｃｋ  Ｉｎｆｏｒｍａｔｉｏｎ）フィールドを通して伝送する。
【０１０３】
従って、本発明は、ＳＳＤＴ方式を活用してＤＰＣＣＨのソフトハンドオーバー与否だけでなく、ＨＳ−ＳＣＣＨを伝送する基地局セルがプライマリーセルであるか、又は非プライマリーセルであるかの与否まで考慮する。該方式は、ＤＰＣＨがＳＳＤＴに動作するかの与否とは関係なく、ただＳＳＤＴで使われるＦＢＩフィールドを通したアップリンクシグナリング（Ｕｐｌｉｎｋ  Ｓｉｇｎａｌｌｉｎｇ）のみを利用する。
【０１０４】
このため、ＳＲＮＣは、ソフトハンドオーバーである場合のためのパワーオフセット値（ＰＯ）、プライマリーセルである場合のためのパワーオフセット値（ＰＯ＿ｐｒｉｍａｒｙ）及びノンプライマリーセルである場合のためのパワーオフセット値（ＰＯ＿ｎｏｎｐｒｉｍａｒｙ）を選択的にＩｕｒ及びＩｕｂを通して基地局に伝達しなければならない。
【０１０５】
図５は、本発明に係る制御フレーム構造の第３実施形態である。
【０１０６】
本発明に係る制御フレームの第３実施形態は、図５に示したように、図３に図示された第１実施形態に付加し、プライマリーセルのためのパワーオフセット値（ＰＯ＿ｐｒｉｍａｒｙ）を伝達するためのフィールド（ＨＳ−ＳＣＣＨ  ＰＯ−ｐｒｉｍａｒｙ）が追加して含まれる。前記ＨＳ−ＳＣＣＨ  ＰＯ−ｐｒｉｍａｒｙフィールドは、７ビット以上であるが可変的で、全体ペイロードが５ｂｙｔｅ以上である。
【０１０７】
即ち、本発明に係る制御フレームの第３実施形態は、ソフトハンドオーバーのためのＰＯ値及びプライマリーセルのためのＰＯ＿ｐｒｉｍａｒｙ値を基地局に伝達する役割をする。従って、基地局は、ＵＥが伝送するＳＳＤＴ  Ｃｅｌｌ  ＩＤを利用し、ＤＰＣＣＨのソフトハンドオーバーの与否及びソフトハンドオーバーである時のプライマリーセルの与否によって前記二つのパワーオフセット値中の一つを選択してＨＳ−ＳＣＣＨの送信電力を決定する。
【０１０８】
図６は、本発明に係る制御フレーム構造の第４実施形態で、本発明に係る制御フレーム構造の第３実施形態の相違な形態である。
【０１０９】
本発明に係る制御フレームの第４実施形態は、図６に示したように、１ｂｙｔｅのＣＦＮフィールド、少なくとも７ｂｉｔ以上のＨＳ−ＳＣＣＨ  ＰＯフィールド、ＨＳ−ＳＣＣＨ  ＰＯ−ｐｒｉｍａｒｙフィールド及びスペア拡張フィールドから構成されるが、前記ＣＦＮフィールドは、除外されることができる。前記ＨＳ−ＳＣＣＨ  ＰＯフィールド及びＨＳ−ＳＣＣＨ  ＰＯ−ｐｒｉｍａｒｙフィールドの長さは可変的で、全体ペイロードは３ｂｙｔｅ以上になるようにする。
【０１１０】
上記のように、本発明に係る制御フレームの第３及び第４実施形態においては、ソフトハンドオーバーのためのＰＯ値及びプライマリーセルのためのＰＯ＿ｐｒｉｍａｒｙ値を基地局に伝達する役割をする。従って、基地局は、ＵＥが伝送するＳＳＤＴ  Ｃｅｌｌ  ＩＤを利用し、ＤＰＣＣＨのソフトハンドオーバーの与否及びソフトハンドオーバーである時のプライマリーセルの与否によって前記図５及び図６の制御フレームを通して伝えられた二つのパワーオフセット値中の一つを選択してＨＳ−ＳＣＣＨの送信電力を決定する。
【０１１１】
図７は、本発明に係る制御フレーム構造の第５実施形態である。
【０１１２】
本発明に係る制御フレームの第５実施形態は、図７に示したように、図５に図示された第３実施形態に付加し、ノンプライマリーセルである場合のためのパワーオフセット値（ＰＯ＿ｎｏｎｐｒｉｍａｒｙ）を伝達するためのフィールド（ＨＳ−ＳＣＣＨ  ＰＯ−ｎｏｎｐｒｉｍａｒｙ）が追加して含まれる。前記ＨＳ−ＳＣＣＨ  ＰＯ−ｎｏｎｐｒｉｍａｒｙフィールドは、７ビット以上であるが、可変的で、全体ペイロードが７ｂｙｔｅである。
【０１１３】
図８は、本発明に係る制御フレーム構造の第６実施形態であって、本発明に係る制御フレーム構造の第６実施形態の相違な形態である。
【０１１４】
本発明に係る制御フレームの第６実施形態は、図８に示したように、１ｂｙｔｅのＣＦＮフィールド、少なくとも７ｂｉｔ以上のＨＳ−ＳＣＣＨ  ＰＯフィールド、ＨＳ−ＳＣＣＨ  ＰＯ−ｐｒｉｍａｒｙフィールド、ＰＯ＿ｎｏｎｐｒｉｍａｒｙフィールド及びスペア拡張フィールドから構成されるが、前記ＣＦＮフィールドは除外されることもできる。前記ＨＳ−ＳＣＣＨ  ＰＯフィールド、ＨＳ−ＳＣＣＨ  ＰＯ−ｐｒｉｍａｒｙフィールド及びＰＯ＿ｎｏｎｐｒｉｍａｒｙフィールドの長さは、可変的で全体ペイロードは３ｂｙｔｅ以上になるようにする。
【０１１５】
即ち、本発明に係る制御フレームの第５及び第６実施形態は、ソフトハンドオーバーのためのＰＯ値、プライマリーセルのためのＰＯ＿ｐｒｉｍａｒｙ値及びノンプライマリーセルのためのＰＯ＿ｎｏｎｐｒｉｍａｒｙ値を基地局に伝達する役割をする。従って、基地局は、ＵＥが伝送するＳＳＤＴ  Ｃｅｌｌ  ＩＤを利用し、ＤＰＣＣＨのソフトハンドオーバーの与否及びソフトハンドオーバーである時のプライマリーセルの与否によって前記図７及び図８に図示された制御フレームを通して伝えられた三つのパワーオフセット値の、一つを選択してＨＳ−ＳＣＣＨの送信電力を決定する。
【０１１６】
以上、使用者平面におけるＨＳ−ＳＣＣＨのＰＯ値を伝達するための制御フレーム構造に対して説明した。
【０１１７】
本発明は、制御平面で使われるＮＢＡＰメッセージ又はＲＮＳＡＰメッセージ内にＨＳ−ＳＣＣＨに対するパワーオフセットパラメーターを追加してＨＳ−ＳＣＣＨに対する電力制御を遂行することができる。即ち、ａｓｓｏｃｉａｔｅｄＤＰＣＣＨのソフトハンドオーバーのように無線リンクの環境及び状況が変化した時、図１に示したように、ＳＲＮＣで決定されたＨＳ−ＳＣＣＨ  ＰＯ値をＮＢＡＰメッセージ又はＲＮＳＡＰメッセージに挿入して基地局に伝達することで、制御平面におけるＨＳ−ＳＣＣＨに対する電力制御を遂行することができる。
【０１１８】
このような実施形態達で提示された制御メッセージ及び制御フレームは、基地局とＲＮＣ間及び各ＲＮＣ間で使われ、ＨＳ−ＤＳＣＨ制御情報を使用者平面に制御フレームを通して送るか、又は制御平面にＮＢＡＰ及びＲＮＳＡＰメッセージ形態で伝えられる。
【０１１９】
このような制御フレーム及び制御メッセージは、ＨＳ−ＤＳＣＨに関連された（ａｓｓｏｃｉａｔｅｄ）専用物理的制御チャンネル（ＤＰＣＣＨ）のソフトハンドオーバーが発生した場合又は無線リンク条件（ｒａｄｉｏ  ｌｉｎｋ  ｃｏｎｄｉｔｉｏｎ）が変化した場合に、共有制御チャンネルの電力を制御することに使われる。
【０１２０】
【発明の効果】
以上説明したように、本発明は、基地局とＲＮＣ間及び各ＲＮＣ間に伝えられる新しい制御フレーム及びメッセージを提案し、該提案された制御フレーム又はメッセージを通して共有制御チャンネル（ＨＳ−ＳＣＣＨ）に対する電力制御のためのパワーオフセット値をＲＮＣから基地局に伝達することで、３ＧＰＰ非同期システム及びＵＥにおけるＨＳ−ＤＳＣＨのためのＨＳ−ＳＣＣＨの電力制御を効果的に遂行し得るという効果がある。
【０１２１】
又、本発明は、前記のような制御フレーム及びメッセージを使用することで、無線リンクがセットアップされるか、又はＵＥの移動、無線リンク数の変化及び共有制御チャンネルを伝送する基地局内セルの状態（ｓｔａｔｕｓ）（プライマリーセル又はノンプライマリーセル）によって適切にＰＯ（Ｐｏｗｅｒ  Ｏｆｆｓｅｔ）値を決定し、該情報を基地局に伝達することで、ＨＳ−ＤＳＣＨの性能を向上し得るという効果がある。
【０１２２】
即ち、本発明は、制御フレームにノンハンドオーバー又はＤＰＣＣＨのソフトハンドオーバーのためのＰＯ値を伝達する第１ＰＯフィールドと、プライマリーセルに使われるＰＯ値を伝達する第２ＰＯフィールドと、ノンプライマリーセルに使われるＰＯ値を伝達する第３ＰＯフィールドと、を選択的に具現することで、無線リンク条件によってＨＳ−ＳＣＣＨの送信電力を適切に制御し得るという効果がある。
【図面の簡単な説明】
【図１】ＵＴＲＡＮの制御平面プロトコルを示した図である。
【図２】ＵＴＲＡＮの使用者平面プロトコルを示した図である。
【図３】本発明の第１実施形態であって、ＨＳ−ＤＳＣＨに使われるＨＳ−ＳＣＣＨの電力を制御するための無線インターフェースパラメーターアップデート制御フレームのフォーマット構成図である。
【図４】本発明の第２実施形態であって、ＨＳ−ＤＳＣＨに使われるＨＳ−ＳＣＣＨの電力を制御するための新しい制御フレームのフォーマット構成図である。
【図５】本発明の第３実施形態であって、ＨＳ−ＤＳＣＨに使われるＨＳ−ＳＣＣＨの電力を制御するための無線インターフェースパラメーターアップデート制御フレームのフォーマット構成図である。
【図６】本発明の第４実施形態であって、ＨＳ−ＤＳＣＨに使われるＨＳ−ＳＣＣＨの電力を制御するための新しい制御フレームのフォーマット構成図である。
【図７】本発明の第５実施形態であって、ＨＳ−ＤＳＣＨに使われるＨＳ−ＳＣＣＨの電力を制御するための無線インターフェースパラメーターアップデート制御フレームのフォーマット構成図である。
【図８】本発明の第６実施形態であって、ＨＳ−ＤＳＣＨに使われるＨＳ−ＳＣＣＨの電力を制御するための新しい制御フレームのフォーマット構成図である。
【図９】ＨＳ−ＰＤＳＣＨ（Ｈｉｇｈ  ｓｐｅｅｄ  ｐｈｙｓｉｃａｌ  ｄｏｗｎｌｉｎｋ  ｓｈａｒｅｄ  ｃｈａｎｎｅ）のサブフレーム構造を示した図である。
【図１０】ｄｏｗｎｌｉｎｋ（ＤＬ）ＤＰＣＨから構成された物理チャンネルのフレーム構造を示した図である。
【図１１】ＨＳ−ＳＣＣＨ（Ｈｉｇｈ  ｓｐｅｅｄ  ｓｈａｒｅｄ  ｃｏｎｔｒｏｌ  ｃｈａｎｎｅｌ）のサブフレーム構造を示した図である。
【図１２】一つのＵＥが基地局（ノードＢ）からＨＳ−ＳＣＣＨを同時受信する例を示した図である。
【図１３】制御情報を伝送するためのＨＳ−ＳＣＣＨのＳｉｇｎａｌｉｎｇ及びＨＳ−ＳＣＣＨとＨＳ−ＤＳＣＨの伝送タイミングを示した図である。
【図１４】従来のＵＭＴＳ無線接続網（Ｒａｄｉｏ  ａｃｃｅｓｓ  ｎｅｔｗｏｒｋ）（ＵＴＲＡＮ）の構造を示した図である。
【図１５】図１４のＵＴＲＡＮの無線インターフェースパラメーターアップデートのために使われる制御フレーム構造を示した図である。
【図１】
0004237471.tif 000002
【図２】
0004237471.tif 000003
【図３】
0004237471.tif 000004
【図４】
0004237471.tif 000005
【図５】
0004237471.tif 000006
【図６】
0004237471.tif 000007
【図７】
0004237471.tif 000008
【図８】
0004237471.tif 000009
【図９】
0004237471.tif 000010
【図１０】
0004237471.tif 000011
【図１１】
0004237471.tif 000012
【図１２】
0004237471.tif 000013
【図１３】
0004237471.tif 000014
【図１４】
0004237471.tif 000015
【図１５】
0004237471.tif 000016